【手続補正書】
【提出日】平成22年10月19日(2010.10.19)
【手続補正１】
【補正対象書類名】明細書
【補正対象項目名】００３２
【補正方法】変更
【補正の内容】
【００３２】
本発明は特に、ポリ（オルガノシロキサン）を備える組成物の生産のために十分にふさわしいものであり、それは、次の
一般式Ｉ
Ｘ１３−ａ−ＳｉＲ１ｂＲ２ｃＲ３ｄ      Ｉ
（式中、
Ｘ１は加水分解性基を示し、
Ｒ１はアルケニル、アルキニルまたはエポキシ基であり、それは随意に１種またはそれよりも多くの置換基を有し、
Ｒ２およびＲ３は無関係に、水素、置換または非置換アルキル基、置換または非置換アルケニルおよびアルキニル基、および置換または非置換アリール基から選ばれ、
ａは、整数０、１または２であり、
ｂは、整数ａ＋１であり、
ｃは、整数０、１または２であり、
ｄは、整数０または１であり、および
ｂ＋ｃ＋ｄ＝３である）
を持つ第１のシリコン化合物を加水分解し、
一般式Ｉ
Ｘ１３−ａ−ＳｉＲ１ｂＲ２ｃＲ３ｄ      Ｉ
（式中、
Ｘ１は加水分解性基を示し、
Ｒ１はアルケニル、アルキニルまたはエポキシ基であり、それは随意に１種またはそれよりも多くの置換基を有し、
Ｒ２およびＲ３は無関係に、水素、置換または非置換アルキル基、置換または非置換アルケニルおよびアルキニル基、および置換または非置換アリール基から選ばれ、
ａは、整数０、１または２であり、
ｂは、整数ａ＋１であり、
ｃは、整数０、１または２であり、
ｄは、整数０または１であり、および
ｂ＋ｃ＋ｄ＝３である）
を持つ第１のシリコン化合物を
一般式ＩＩ
Ｘ２３−ｅ−ＳｉＲ４ｆＲ５ｇＲ６ｈ      ＩＩ
（式中、
Ｘ２は加水分解性基を示し、
Ｒ４はアリール基であり、それは随意に１種またはそれよりも多くの置換基を有し、
Ｒ５およびＲ６は無関係に、水素、置換または非置換アルキル基、置換または非置換アルケニルおよびアルキニル基、および置換または非置換アリール基から選ばれ、
ｅは、整数０、１または２であり、
ｆは、整数ｅ＋１であり、
ｇは、整数０、１または２であり、
ｈは、整数０または１であり、および
ｆ＋ｇ＋ｈ＝３である）
を持つ第２のシリコン化合物と共に加水分解することによって得られるポリ（オルガノシロキサン）を備える。
【手続補正２】
【補正対象書類名】明細書
【補正対象項目名】００３４
【補正方法】変更
【補正の内容】
【００３４】
１種の好適例に従い、薄膜は、第１および第２のシリコン化合物を、一般式ＩＩＩを持つ第３のシリコン化合物と共に加水分解することによって得られる組成物から生産し、その式は、次の
Ｘ３３−ｉ−ＳｉＲ７ｊＲ８ｋＲ９ｌ ＩＩＩ
（式中、
Ｘ３は加水分解性基を示し、
Ｒ７はアルキル基であり、それは随意に１種またはそれよりも多くの置換基を有し、
Ｒ８およびＲ９は無関係に、水素、置換または非置換アルキル基、置換または非置換アルケニルまたはアルキニル基、および置換または非置換アリール基から選ばれ、
ｉは、整数０、１または２であり、
ｊは、整数ｉ＋１であり、
ｋは、整数０、１または２であり、
ｌは、整数０または１であり、および
ｊ＋ｋ＋ｌ＝３である）
を持つ。
【手続補正３】
【補正対象書類名】明細書
【補正対象項目名】００４２
【補正方法】変更
【補正の内容】
【００４２】
アリール基がフェニルであるとき、それは随意にリング上でハロゲン、アルキルまたはアルケニルから選ばれる１から５個までの置換基を有し、それがナフチルであるとき、それは随意に、リング構造上でハロゲン、アルキルまたはアルケニルから選ばれる１から１１個までの置換基を有する。これらの置換基は随意にフッ素化される。
【手続補正４】
【補正対象書類名】特許請求の範囲
【補正対象項目名】請求項１４
【補正方法】変更
【補正の内容】
【請求項１４】
シリコンモノマーの重合は、第１の溶媒において、または任意の溶媒を伴わずに遂行され、および重合されたシロキサン物質は、第２の、安定化有機溶媒においてシロキサン組成物中に調剤される、請求項１〜１２のいずれか１項に従う方法。
【手続補正５】
【補正対象書類名】特許請求の範囲
【補正対象項目名】請求項２５
【補正方法】変更
【補正の内容】
【請求項２５】
組成物は、次の
一般式Ｉ
Ｘ１３−ａ−ＳｉＲ１ｂＲ２ｃＲ３ｄ      Ｉ
（式中、
Ｘ１は加水分解性基を示し、
Ｒ１はアルケニル、アルキニルまたはエポキシ基であり、それは随意に１種またはそれよりも多くの置換基を有し、
Ｒ２およびＲ３は無関係に、水素、置換または非置換アルキル基、置換または非置換アルケニルおよびアルキニル基、および置換または非置換アリール基から選ばれ、
ａは、整数０、１または２であり、
ｂは、整数ａ＋１であり、
ｃは、整数０、１または２であり、
ｄは、整数０または１であり、および
ｂ＋ｃ＋ｄ＝３である）
を持つ第１のシリコン化合物を加水分解し、
一般式Ｉ
Ｘ１３−ａ−ＳｉＲ１ｂＲ２ｃＲ３ｄ      Ｉ
（式中、
Ｘ１は加水分解性基を示し、
Ｒ１はアルケニル、アルキニルまたはエポキシ基であり、それは随意に１種またはそれよりも多くの置換基を有し、
Ｒ２およびＲ３は無関係に、水素、置換または非置換アルキル基、置換または非置換アルケニルおよびアルキニル基、および置換または非置換アリール基から選ばれ、
ａは、整数０、１または２であり、
ｂは、整数ａ＋１であり、
ｃは、整数０、１または２であり、
ｄは、整数０または１であり、および
ｂ＋ｃ＋ｄ＝３である）
を持つ第１のシリコン化合物を
一般式ＩＩ
Ｘ２３−ｅ−ＳｉＲ４ｆＲ５ｇＲ６ｈ      ＩＩ
（式中、
Ｘ２は加水分解性基を示し、
Ｒ４はアリール基であり、それは随意に１種またはそれよりも多くの置換基を有し、
Ｒ５およびＲ６は無関係に、水素、置換または非置換アルキル基、置換または非置換アルケニルおよびアルキニル基、および置換または非置換アリール基から選ばれ、
ｅは、整数０、１または２であり、
ｆは、整数ｅ＋１であり、
ｇは、整数０、１または２であり、
ｈは、整数０または１であり、および
ｆ＋ｇ＋ｈ＝３である）
を持つ第２のシリコン化合物と共に加水分解することによって得られるポリ（オルガノシロキサン）を備える、請求項２４に従う薄膜。
【手続補正６】
【補正対象書類名】特許請求の範囲
【補正対象項目名】請求項２６
【補正方法】変更
【補正の内容】
【請求項２６】
組成物は、第１および第２のシリコン化合物を、一般式ＩＩＩ
Ｘ３３−ｉ−ＳｉＲ７ｊＲ８ｋＲ９ｌ ＩＩＩ
（式中、
Ｘ３は加水分解性基を示し、
Ｒ７はアルキル基であり、それは随意に１種またはそれよりも多くの置換基を有し、
Ｒ８およびＲ９は無関係に、水素、置換または非置換アルキル基、置換または非置換アルケニルまたはアルキニル基、および置換または非置換アリール基から選ばれ、
ｉは、整数０、１または２であり、
ｊは、整数ｉ＋１であり、
ｋは、整数０、１または２であり、
ｌは、整数０または１であり、および
ｊ＋ｋ＋ｌ＝３である）
を持つ第３のシリコン化合物と共に加水分解することによって得られる、請求項２４または２５に従う薄膜。
【手続補正７】
【補正対象書類名】特許請求の範囲
【補正対象項目名】請求項３４
【補正方法】変更
【補正の内容】
【請求項３４】
アリール基はフェニルであり、それは随意に、環（リング）上のハロゲン、アルキルまたはアルケニル、またはナフチルから選ばれる１から５個までの置換基を有し、それは随意に、環構造上のハロゲン、アルキルまたはアルケニルから選ばれる１から１１個までの置換基を有し、置換基は随意にフッ素化される、請求項３３に従う薄膜。